(57)【要約】【課題】  貯氷室が製氷室と別に構成されている場合でも、簡素な構成で貯氷室に貯えられている氷量を検出することのできる氷製造貯蔵装置、冷蔵庫、および氷製造貯蔵装置の制御方法を提供すること。【解決手段】  製氷皿２１を備えた製氷室２の下方に貯氷室３を備えた氷製造貯蔵装置において、扉本体５およびレバー状検氷部６を備えた扉体４が貯氷室３側に変位した際、レバー状検氷部６が貯氷室３内の氷と干渉して扉体４の変位が阻止されたとき、貯氷室３内に多量の氷が貯まっていると検出し、扉体４の変位が阻止されないとき、貯氷室３には、少ない氷しかないと検出する。【選択図】  図１
2007093159.tif 000002
【特許請求の範囲】
【請求項１】
製氷機を備えた製氷室と、前記製氷室に連通する貯氷室とを有する氷製造貯蔵装置において、
前記製氷室と前記貯氷室との間に配置された扉体と、
該扉体で前記製氷室と前記貯氷室とを仕切った状態と、前記扉体を前記貯氷室側に変位させて前記製氷室と前記貯氷室とが連通した状態とに切り換える扉体駆動装置と、
前記扉体が前記貯氷室側に変位した際、前記扉体が前記貯氷室内の氷と干渉したか否かにより前記貯氷室内の氷量を検出する検出器と
を有することを特徴とする氷製造貯蔵装置。
【請求項２】
請求項１において、前記扉体駆動装置は、前記扉体をその基端側を中心に前記貯氷室側に回転させて前記製氷室と前記貯氷室とが連通した状態とすることを特徴とする氷製造貯蔵装置。
【請求項３】
請求項１または２において、前記貯氷室は、前記製氷室の下方位置にあることを特徴とする氷製造貯蔵装置。
【請求項４】
請求項１ないし３のいずれかにおいて、前記製氷室と前記貯氷室との間には前記扉体で開閉される開口部を備えた仕切り壁を備え、
前記扉体は、前記仕切り壁側に当接する部分に弾性体層を備えていることを特徴とする氷製造貯蔵装置。
【請求項５】
請求項３において、前記扉体は、前記製氷室側の面の略全体に弾性体層を備えていることを特徴とする氷製造貯蔵装置。
【請求項６】
請求項１ないし５のいずれかにおいて、前記扉体は、前記製氷室と前記貯氷室とを仕切るための扉本体と、前記扉本体から先端側および前記貯氷室側のうちの少なくとも一方に突出した検氷部とを備えていることを特徴とする氷製造貯蔵装置。
【請求項７】
請求項６において、前記扉体駆動装置は、前記扉体をその基端側を中心に前記貯氷室側に回転させて前記製氷室と前記貯氷室とが連通した状態とし、
前記検氷部は、前記扉本体において前記扉体の回転中心軸線が延びる方向の略中央位置に配置されていることを特徴とする氷製造貯蔵装置。
【請求項８】
請求項６または７において、前記検氷部は、前記製氷室から前記貯氷室への氷の移動方向に面内方向を向けた薄板からなることを特徴とする氷製造貯蔵装置。
【請求項９】
請求項６ないし８のいずれかにおいて、前記検氷部は前記扉本体に固定されており、
前記検出器は、前記扉体の姿勢を監視し、前記扉体が前記貯氷室側に変位した際、前記検氷部が前記貯氷室内の氷と干渉して前記扉体の前記貯氷室側への変位が阻止されたとき、前記貯氷室内に所定量以上の氷が貯蔵されていることを検出することを特徴とする氷製造貯蔵装置。
【請求項１０】
請求項６ないし８のいずれかにおいて、前記検氷部は前記扉本体に変位可能に支持されており、
前記検出器は、前記検氷部を監視し、前記扉体が前記貯氷室側に変位した際、前記検氷部が前記貯氷室内の氷と干渉して前記扉本体に対して変位したとき、前記貯氷室内に所定量以上の氷が貯蔵されていることを検出することを特徴とする氷製造貯蔵装置。
【請求項１１】
請求項１ないし１０のいずれかに規定する氷製造貯蔵装置を備えていることを特徴とする冷蔵庫。
【請求項１２】
製氷機を備えた製氷室と、前記製氷室に連通する貯氷室と、前記製氷室と前記貯氷室とを仕切った状態および前記製氷室と前記貯氷室とが連通した状態とに切り換えられる扉体とを有する氷製造貯蔵装置の制御方法において、
前記扉体を前記貯氷室側に変位させて前記製氷室と前記貯氷室とが連通した状態にする際、前記扉体が前記貯氷室内の氷と干渉したか否かを検出し、
当該扉体が前記貯氷室内の氷と干渉していないとの検出結果を得たとき、前記製氷機から前記貯氷室への氷の移動を行い、前記扉本体が前記貯氷室内の氷と干渉したとの検出結果が得られたとき、前記製氷機から前記貯氷室への氷の移動を停止することを特徴とする氷製造貯蔵装置の制御方法。
【発明の詳細な説明】
【技術分野】
【０００１】
本発明は、氷製造貯蔵装置、冷蔵庫、および氷製造貯蔵装置の制御方法に関するものである。
【背景技術】
【０００２】
冷蔵庫などに搭載されている氷製造貯蔵装置としては、例えば、製氷皿を備えた製氷室の下側が貯氷部とされ、製氷皿を捻って反転させる際、製氷皿の下側に設けられた検氷フィンが貯氷部の氷と干渉したか否かにより、氷の残量を検知するという構成が提案されている（例えば、特許文献１参照）。
【特許文献１】特開平１１−１３２６１４号公報
【発明の開示】
【発明が解決しようとする課題】
【０００３】
近年、製氷室で製造した氷を製氷室とは別の貯氷室に貯えておく構造の氷製造貯蔵装置が望まれており、このような氷製造貯蔵装置では、製氷室と貯氷室との間に扉体を設け、通常は、製氷室と貯氷室を扉体で仕切っておき、製氷室から貯氷室に氷を移動させる際には、扉体を変位させて製氷室と貯氷室とを連通させることになる。
【０００４】
このようなタイプの氷製造貯蔵装置において、貯氷室に貯まっている氷の量を検出できれば、製氷室に配置された製氷機からの離氷や、製氷室から貯氷室への氷を自動的に行うのに便利である。しかしながら、従来の検氷方式では、製氷皿に検氷フィンが設けられているため、製氷室とは別に設けられた貯氷室に貯えられている氷量を検出することが不可能である。
【０００５】
以上の問題点に鑑みて、貯氷室が製氷室と別に構成されている場合でも、簡素な構成で貯氷室に貯えられている氷量を検出することのできる氷製造貯蔵装置、冷蔵庫、および氷製造貯蔵装置の制御方法を提供することにある。
【課題を解決するための手段】
【０００６】
上記課題を解決するために、本発明では、製氷機を備えた製氷室と、前記製氷室に連通する貯氷室とを有する氷製造貯蔵装置において、前記製氷室と前記貯氷室との間に配置された扉体と、該扉体で前記製氷室と前記貯氷室とを仕切った状態と、前記扉体を前記貯氷室側に変位させて前記製氷室と前記貯氷室とが連通した状態とに切り換える扉体駆動装置と、前記扉体が前記貯氷室側に変位した際、前記扉体が前記貯氷室内の氷と干渉したか否かにより前記貯氷室内の氷量を検出する検出器とを有することを特徴とする。
【０００７】
本発明においては、製氷室と貯氷室との間に扉体が配置されているため、通常は、製氷室と貯氷室を扉体で仕切っておけるので、製氷室および貯氷室の温度を最適温度に保持することができる。また、製氷室から貯氷室に氷を移動させる際、扉体駆動装置によって扉体を変位させ、製氷室と貯氷室とを連通した状態とすることができる。ここで、製氷室と貯氷室とを連通させる際、本発明では、扉体を貯氷室の方に変位させるため、貯氷室内の氷量を検出する際も、扉体の貯氷室側への変位を利用する。すなわち、扉体を貯氷室側に変位させた際、貯氷室内の氷量が少なければ、扉体と氷とが干渉せず、貯氷室内の氷量が多ければ、扉体は氷と干渉することになる。それ故、検出器によって扉体と氷が干渉したか否かを検出すれば、貯氷室内の氷量を検出することができる。
【０００８】
本発明において、前記扉体駆動装置は、前記扉体をその基端側を中心に前記貯氷室側に回転させて前記製氷室と前記貯氷室とが連通した状態とすることことが好ましい。このように構成すると、簡素な構成の扉体駆動装置を駆動できる。
【０００９】
本発明において、前記貯氷室は、前記製氷室の下方位置にあることが好ましい。このように構成すると、製氷室内で製氷機から離氷させた氷を自重により貯氷室に移動させることができる。
【００１０】
本発明において、前記製氷室と前記貯氷室との間には前記扉体で開閉される開口部を備えた仕切り壁を備える場合、前記扉体は、前記仕切り壁側に当接する部分に弾性体層を備えていることが好ましい。このように構成すると、弾性体層がシール材として機能するため、扉体によって製氷室と貯氷室とを完全に隔離することができる。
【００１１】
本発明において、前記貯氷室が前記製氷室の下方位置にある場合、前記扉体は、前記製氷室側の面の略全体に弾性体層を備えていることが好ましい。このように構成すると、製氷室内で製氷機から離氷させた氷を扉体の弾性体層で受けることができるので、氷の落下音を低減することができる。
【００１２】
本発明において、前記扉体は、前記製氷室と前記貯氷室とを仕切るための扉本体と、前記扉本体から先端側および前記貯氷室側のうちの少なくとも一方に突出した検氷部とを備えていることが好ましい。このように構成すると、扉本体については、製氷室と貯氷室とを仕切るとともに、それらを連通させるのに適した形状にすることができ、検氷部のみを氷の検出に適した構造とすればよい。
【００１３】
本発明において、前記扉体駆動装置は、前記扉体をその基端側を中心に前記貯氷室側に回転させて前記製氷室と前記貯氷室とが連通した状態とする場合、前記検氷部は、前記扉本体において前記扉体の回転中心軸線が延びる方向の略中央位置に配置されていることが好ましい。このように構成すると、貯氷室で氷が山積みになった状態にあるときでも、検氷部は氷の頂上あるいはその付近と干渉することになるので、新たに貯氷室に氷を移動させてよいか否かを確実に検出することができる。
【００１４】
本発明において、前記検氷部は、前記製氷室から前記貯氷室への氷の移動方向に面内方向を向けた薄板からなることが好ましい。このように構成すると、製氷室と貯氷室とを連通させて製氷室から貯氷室に氷を移動させる際、氷が移動するのに検氷部が邪魔にならない。
【００１５】
本発明において、前記検氷部が前記扉本体に固定されている場合、前記検出器は、前記扉体の姿勢を監視し、前記扉体が前記貯氷室側に変位した際、前記検氷部が前記貯氷室内の氷と干渉して前記扉体の前記貯氷室側への変位が阻止されたとき、前記貯氷室内に所定量以上の氷が貯蔵されていることを検出する構成を採用することができる。
【００１６】
本発明において、前記検氷部は前記扉本体に変位可能に支持されている場合、前記検出器は、前記検氷部を監視し、前記扉体が前記貯氷室側に変位した際、前記検氷部が前記貯氷室内の氷と干渉して前記扉本体に対して変位したとき、前記貯氷室内に所定量以上の氷が貯蔵されていることを検出する構成を採用してもよい。
【００１７】
本発明を適用した氷製造貯蔵装置は、例えば、冷蔵庫に搭載される。
【００１８】
本発明では、製氷機を備えた製氷室と、前記製氷室に連通する貯氷室と、前記製氷室と前記貯氷室とを仕切った状態および前記製氷室と前記貯氷室とが連通した状態とに切り換えられる扉体とを有する氷製造貯蔵装置の制御方法において、前記扉体を前記貯氷室側に変位させて前記製氷室と前記貯氷室とが連通した状態にする際、前記扉体が前記貯氷室内の氷と干渉したか否かを検出し、当該扉体が前記貯氷室内の氷と干渉していないとの検出結果を得たとき、前記製氷機から前記貯氷室への氷の移動を行い、前記扉本体が前記貯氷室内の氷と干渉したとの検出結果が得られたとき、前記製氷機から前記貯氷室への氷の移動を停止することを特徴とする。
【発明の効果】
【００１９】
本発明においては、製氷室から貯氷室に氷を移動させる際に扉体を変位させるのと同様な動作で、貯氷室内の氷量を検出することができるため、貯氷室が製氷室と別に構成されている場合でも、簡素な構成で貯氷室に貯えられている氷量を検出することができる。
【発明を実施するための最良の形態】
【００２０】
以下に、図面を参照して、本発明を適用した冷蔵庫に搭載した自動氷製造貯蔵装置の一例を説明する。
【００２１】
（全体構造）
図１は、本発明を適用した氷製造貯蔵装置の縦断面を模式的に示す説明図である。図１において、本形態の氷製造貯蔵装置１は冷蔵庫内で氷を製造するとともに貯蔵しておく装置であり、製氷皿２１を備えた製氷室２と、製氷室２の下方位置に隣接して形成された貯氷室３とを備えており、製氷室２と貯氷室３との間には、氷を通過させる開口部９０を備えた隔壁９が形成されている。製氷室２において、製氷皿２１は、両端部が回転機構２２の回転軸２３により支持されており、製氷皿２１中の氷は、回転機構２２によって製氷皿２１を反転させた後、製氷皿２１に内蔵のヒータ（図示せず）により加熱することにより自動的に製氷皿２１から落下するようになっている。かかる氷製造貯蔵装置１において、例えば、製氷室２は冷蔵庫の冷蔵室に配置され、貯氷室３は冷凍庫に配置される。
【００２２】
（扉開閉ユニットの構成）
図２（Ａ）、（Ｂ）、（Ｃ）は、本発明を適用した氷製造貯蔵装置に用いられる扉開閉ユニットの正面図、平面図、および右側面図である。図１および図２（Ａ）、（Ｂ）、（Ｃ）に示すように、本形態では、隔壁９の開口部９０に対しては、開口部９０を開閉するための扉開閉ユニット１０が構成されている。扉開閉ユニット１０は、開口部９０に沿って隔壁９に固定される矩形のフレーム１１を有しており、フレーム１１は隔壁９とともに仕切り壁の一部を構成する。また、扉開閉ユニット１０は、フレーム１１において隔壁９の開口部９０と重なる開口部１１０を開閉可能な扉体４と、扉体４の基端側を中心に扉体４を回転させて、扉体４によりフレーム１１の開口部１１０（隔壁９の開口部９０）を塞いだ状態と、扉体４を貯氷室３側に回転させることにより製氷室２と貯氷室３とを開口部１１０、９０を介して連通させる扉体駆動装置７とを備えている。
【００２３】
ここで、扉体４は、フレーム１１の開口部１１０を閉鎖可能な矩形の平面形状を備えた扉本体５と、後述するレバー検氷部６とから構成され、扉本体５は、開口部１１０を塞ぐための矩形のプレート５２と、プレート５２においてフレーム１１に当接する上面全体に積層されたゴム製の弾性シート５３とを備えている。従って、扉本体５がフレーム１１に当接した状態においては、弾性シート５３により、製氷室２と貯氷室３とが完全に密閉される。
【００２４】
扉体４は、プレート５２の基端側がフレーム１１の側板部１１１に対して支持軸５５を介して回転可能に支持されている一方、扉体駆動装置７において支持軸５５と同軸状に突出した出力軸７３に連結されている。このため、出力軸７３が回転した際、扉体４は、基端側の出力軸７３および支持軸５５の軸線周りに回転する。
【００２５】
本形態では、扉体駆動装置７によって扉体４を貯氷室３側に回転させることにより、貯氷室３に貯まっている氷の量を確実に検出できるように、扉本体５の下面には、レバー状検氷部６が固定されている。ここで、レバー状検氷部６は、扉本体５の下面に対して、扉体４の回転中心軸線方向（幅方向）における中央位置に固定されている。また、レバー状検氷部６は、薄板からなり、製氷室２から貯氷室３への氷に移動方向に面内方向を向けて固定されている。また、レバー状検氷部６は、先端側が略三角形状になっており、三角部分の２つの頂部６１、６２が扉本体５の下側および先端側に向けて各々突出した状態にある。
【００２６】
（扉体駆動装置の詳細構成）
図３（Ａ）、（Ｂ）は、本発明を適用した氷製造貯蔵装置に用いられる駆動部の縦断面図および横断面図である。図４は、図３（Ｂ）におけるＤ部の拡大図である。
【００２７】
図３（Ａ）、（Ｂ）に示すように、扉体駆動装置７のハウジングは、２つのケース７４、７５によって構成され、ケース７４、７５の内側には、モータ７１および減速輪列７０が収納されている。
【００２８】
モータ７１はステッピングモータであり、環状のコイルおよびこのコイルのラジアル方向の両側に配置された一対のステータコアを備えたステータと、このステータの内側に配置されたロータにより構成されている。減速輪列７０は複数の外歯歯車７０１、７０２、７０３、７０４、７０５、７０６から構成されており、外歯歯車７０６を介して出力軸７３に回転が伝達された後、この出力軸７３を介して、図１および図２を参照して説明した扉体４に回転が伝達される。その結果、扉体４は、図２（Ｃ）に実線で示す平伏姿勢と、一点鎖線で示す斜め下方に４５°傾いた姿勢とに切り換えられる。
【００２９】
また、図４に示すように、出力軸７３に対しては、出力軸７３の回転位置により扉体４の姿勢を監視するセンサ８が構成されており、このセンサ８は、出力軸７３の側面に固定されたマグネット８１と、出力軸７３の側方に配置された基板８４に実装されたホールＩＣ８２とによって構成されている。ここで、図４には、扉体４が図２（Ｃ）に実線で示す平伏姿勢にあるときのマグネット８１の位置を実線で示してあり、出力軸７３が４５°回転して、扉体４が図２（Ｃ）に一点鎖線で示す斜め姿勢になったときのマグネット８１の位置を一点鎖線で示してある。また、扉体４が図２（Ｃ）に一点鎖線で示す斜め姿勢になったとき、扉体４は全開位置であり、この状態において、ホールＩＣ８２は出力有の状態であり、それ以外の状態は出力無の状態である。従って、センサ８において、図２（Ｃ）に実線で示す平伏姿勢から、一点鎖線で示す斜め下方に４５°傾いた姿勢に到るまでの間は、まず、ホールＩＣ８２の出力無の状態が続き、一点鎖線で示す斜め下方に４５°傾いた姿勢になったとき、ホールＩＣ８２が出力有の状態となるため、センサ８は、扉体４の姿勢を監視することができる。
【００３０】
（動作）
本形態では、扉体４を貯氷室３側に回転させた際、扉体４が斜め下方に４５°傾いた姿勢になるか否かをセンサ８により検出し、その検出結果により、貯氷室３に貯えられている氷量を検出する。かかる動作を図５および図６を参照して以下に説明する。
【００３１】
図５および図６は各々、本発明を適用した氷製造貯蔵装置において、貯氷室内の氷が少ない場合の説明図、および貯氷室内の氷が多い場合の説明図である。
【００３２】
まず、図５を参照して、貯氷室３内の氷が少ない場合を説明する。図５に扉体４を実線で示す状態では、扉体４が平伏姿勢にあって、フレーム１１の開口１１０（隔壁９の開口部９０）が扉体４で塞がれている。この状態から所定のタイミングで、扉体駆動装置７では、所定のステップ数だけモータ７１を駆動させる。その結果、扉体４は、貯氷室３側（反時計周りＣＣＷの方向）に回転する。その際、貯氷室３では氷が少ないため、レバー状検氷部６が氷と干渉せず、扉体４は、図５に一点鎖線で示す斜め下方に４５°傾いた姿勢に切り換わる。その結果、センサ８では、ホールＩＣ８２の出力が無から有に切り換わるので、貯氷室３では氷が少ないことを検出できる。従って、回転機構２２によって製氷皿２１を反転させた後、製氷皿２１を加熱する。その結果、氷は自重により、製氷皿２１から脱離した後、開口部９０、１１０を通って貯氷室３に移動する。その際、蓋本体５では、製氷室３側の面全体に弾性シート５３が貼られているため、製氷室２内で製氷皿２１から離れた氷は、扉体４の弾性シート５３に当たるので、氷の落下音を低減することができる。
【００３３】
なお、氷を製氷皿２１から貯氷室３に移動させるにあたっては、一旦、図５に実線で示すように、扉体４を時計周りＣＷの方向に回転させて平伏姿勢とした後、製氷皿２１を反転、加熱し、氷を扉本体５の上面で受け止めた後、再度、扉体４を貯氷室３側に回転し、扉体４上の氷を貯氷室３に移動させてもよい。その際も、製氷室３側の面全体に弾性シート５３が貼られているため、製氷室２内で製氷皿２１から離氷させた氷を、扉体４の弾性シート５３で受けることができるので、氷の落下音を低減することができる。また、製氷皿２１に近い位置で氷を一旦、受けるため、氷の落下音を低減するのに効果的である。
【００３４】
次に、図６を参照して、貯氷室３内の氷が多い場合を説明する。この場合も、図６に扉体４を実線で示す状態では、扉体４が平伏姿勢にあって、隔壁９の開口部９０が扉体４で塞がれている。この状態から所定のタイミングで、扉体駆動装置７では、所定のステップ数だけモータ７１を駆動させる。その結果、扉体４は、貯氷室３側（反時計周りＣＣＷの方向）に回転するが、貯氷室３では氷が多いため、レバー状検氷部６が氷と干渉し、扉体４の回転が阻止される。従って、扉体４は、図６に一点鎖線で示すように、斜め下方に４５°傾いた姿勢に切り換わる途中で停止する。従って、センサ８では、ホールＩＣ８２の出力が無から有に切り換わらないので、所定の時間が経過した後もホールＩＣ８２の出力が無から有に切り換わらない場合には、貯氷室３では氷が多く、これ以上、氷を貯蔵できないことを検出できる。従って、製氷皿２１での離氷を行わず、扉体４を時計周りＣＷの方向に回転させて平伏姿勢に戻す。
【００３５】
（本形態の主な効果）
以上説明したように、本形態の氷製造貯蔵装置１では、製氷室２と貯氷室３との間に扉体４が配置されているため、通常は、製氷室２と貯氷室３を扉体４で仕切っておけるので、製氷室２および貯氷室３の温度を最適温度に保持することができる。また、製氷室２から貯氷室３に氷を移動させる際、扉体駆動装置７によって扉体４を変位させ、製氷室２と貯氷室３とを連通した状態とすることができる。ここで、製氷室２と貯氷室３とを連通させる際、扉体４を貯氷室３の方に変位させるため、貯氷室３内の氷量を検出する際も、扉体４を貯氷室３の方に変位させる。その際、貯氷室３内の氷量が少なければ、扉体４と氷とが干渉せず、扉体４の変位は妨げられないのに対して、貯氷室３内の氷量が多ければ、扉体４は、氷と干渉し、変位が阻止される。それ故、センサ８によって扉体４の変位が阻止されたか否かを検出すれば、貯氷室３内の氷量を検出することができる。よって、製氷室２から貯氷室３に氷を移動させる際に扉体４を変位させるのと同様な動作で、貯氷室３内の氷量を検出することができるため、貯氷室３が製氷室２と別に構成されている場合でも、簡素な構成で貯氷室３に貯えられている氷量を検出することができる。
【００３６】
また、本形態において、扉体駆動装置７は、扉体４をその基端側を中心に貯氷室３側に回転させて製氷室２と貯氷室３とが連通した状態とするため、簡素な構成の扉体駆動装置７を駆動できる。しかも、貯氷室３は製氷室２の下方位置にあるため、製氷室２内で製氷皿２１から離氷させた氷を自重により貯氷室３に移動させることができる。
【００３７】
さらに、扉体４は、製氷室２と貯氷室３とを仕切るための扉本体５と、扉本体５から先端側および貯氷室３側の双方に突出したレバー状検氷部６とを備えているため、扉本体５については、製氷室２と貯氷室３とを仕切るとともに、それらを連通させるのに適した形状にすることができ、レバー状検氷部６のみを氷の検出に適した構造とすればよい。しかも、レバー状検氷部６は、扉本体５の幅方向の略中央位置に配置されているため、貯氷室３の中央付近で氷が山積みになった状態にあるときでも、レバー状検氷部６は氷の頂上あるいはその付近と干渉することになるので、貯氷室３に新たに氷を移動させてよいか否かを確実に検出することができる。また、レバー状検氷部６は、製氷室２から貯氷室３への氷の移動方向に面内方向を向けた薄板からなるため、製氷室２と貯氷室３とを連通させて製氷室２から貯氷室３に氷を移動させる際、氷が移動するのにレバー状検氷部６が邪魔にならない。
【００３８】
［その他の実施の形態］
上記形態においては、レバー状検氷部６が扉本体５に固定されているため、センサ８は、扉体４の姿勢を監視したが、検氷部が扉本体５に変位可能に支持されている場合、検出器によって、検氷部を監視し、扉体４が貯氷室３側に変位した際、検氷部が貯氷室３内の氷と干渉して扉本体５に対して変位したとき、貯氷室３内に所定量以上の氷が貯蔵されていると検出してもよい。
【００３９】
また、上記形態では、検氷部をレバー状に形成したが、棒状のものを用いてもよく、その数は複数であってもよい。さらに、扉本体５の形状によっては、扉本体５自身を扉体４として用い、扉本体５が氷と干渉したか否かを検出する構成であってもよい。
【００４０】
さらに、上記形態では、レバー状検氷部６の位置検出を行うための検出器として、マグネット８１とホールＩＣ８２などといった磁気的なセンサ８を用いたが、フォトインタラプタなどといった光学スイッチ、あるいはタクトスイッチなどの機械式スイッチを用いてもよい。
【００４１】
さらにまた、上記形態では、製氷室２と貯氷室３が上下に配置された構成であったが、製氷室２と貯氷室３が横方向に配置されている氷製造貯蔵装置に本発明を適用してもよく、この場合も扉体を貯氷室３の側に変位させて氷量を検出すればよい。
【図面の簡単な説明】
【００４２】
【図１】本発明を適用した氷製造貯蔵装置の縦断面を模式的に示す説明図である。
【図２】（Ａ）、（Ｂ）、（Ｃ）は、本発明を適用した氷製造貯蔵装置に用いられる扉開閉ユニットの正面図、平面図、および右側面図である。
【図３】（Ａ）、（Ｂ）は、本発明を適用した氷製造貯蔵装置に用いられる駆動部の縦断面図および横断面図である。
【図４】図３（Ｂ）におけるＤ部の拡大図である。
【図５】本発明を適用した氷製造貯蔵装置において、貯氷室内の氷が少ない場合の説明図である。
【図６】本発明を適用した氷製造貯蔵装置において、貯氷室内の氷が多い場合の説明図である。
【符号の説明】
【００４３】
１  氷製造貯蔵装置
２  製氷部
３  貯氷部
４  扉体
５  扉本体
６  レバー状検氷部
７  扉体駆動装置
８  センサ（検出器）
１０  扉開閉ユニット
２１  製氷皿（製氷機）
５３  弾性シート（弾性体層）
【図１】
2007093159.tif 000003
【図２】
2007093159.tif 000004
【図３】
2007093159.tif 000005
【図４】
2007093159.tif 000006
【図５】
2007093159.tif 000007
【図６】
2007093159.tif 000008